(57)【要約】【課題】  合流式の下水処理施設から排出されるオイルボールのようなスカム（浮上性物質）を堰止めて効率よく除去できるようにする。【解決手段】  流れる排水中からその排水中に含まれる浮上性の物質を除去する浮上性物質除去装置であって、前記排水の流れ方向と交差する方向に沿って、かつ、その排水の水面に向けて流出し、その流出の下端がその排水中に所定深さ没する所定の厚さの水膜を発生させる水膜発生手段を設け、その発生された水膜により浮上性物質の流れを阻止してその浮上性物質を除去するようにした。【選択図】      図１
2005254219.tif 000002
【特許請求の範囲】
【請求項１】
流れる排水中からその排水中に含まれる浮上性の物質を除去する浮上性物質除去装置であって、
前記排水の流れ方向と交差する方向に沿って、かつ、その排水の水面に向けて流出し、その流出の下端がその排水中に所定深さ没する所定の厚さの水膜を発生させる水膜発生手段を設け、その発生された水膜により浮上性物質の流れを阻止してその浮上性物質を除去するようにしたことを特徴とする浮上性物質除去装置。
【請求項２】
請求項１に記載の浮上性物質除去装置において、水膜は、排水の流れの上流側に向けて所定の角度を有してその排水の上面に向けて流出するものであることを特徴とする浮上性物質除去装置。
【請求項３】
請求項１又は２に記載の浮上性物質除去装置において、水膜の排水の流れ方向と交差する角度は、直角以外の所定の角度であることを特徴とする浮上性物質除去装置。
【請求項４】
請求項１〜３のいずれかに記載の浮上性物質除去装置において、排水は、下水処理施設における合流式の下水処理施設から排出される排水、沈殿池の導水渠を流れる排水、沈砂池を流れる排水、又は沈砂池のポンプ井間を流れる排水であることを特徴とする浮上性物質除去装置。
【請求項５】
下水処理施設の沈砂池のポンプ井に設けられるポンプの周囲に設けられ、かつ、そのポンプ井の水面に向けて流出し、その流出の下端がそのポンプ井の排水中に所定深さ没する所定の厚さの水膜を発生させる水膜発生手段により構成される浮上性物質除去装置であり、そのポンプ井の水位を低下させて浮上性物質を除去するときにその水膜発生手段から水膜を発生させてそのポンプによる浮上性物質の排出を促進させることを特徴とする浮上性物質除去装置。
【請求項６】
請求項１〜５のいずれかに記載の浮上性物質除去装置において、水膜発生手段は、板材とその板材の面に水を供給する給水パイプとから構成され、又はその給水パイプにその給水パイプの長手方向に沿ってスリットを設けて構成されるものであることを特徴とする浮上性物質除去装置。
【発明の詳細な説明】
【技術分野】
【０００１】
本発明は浮上性物質除去装置に係り、特に、下水施設における排水中に含まれる浮上性物質を効果的に捕集して除去できるようにしたものに関する。
【背景技術】
【０００２】
汚水と雨水とを同一管渠で収集して処理する合流式の下水処理施設（合流式の下水処理場）では、雨天時、降水量がポンプ所の容量を上回った場合に、その上回った分が未処理で海や河川等の公共用水域に排出されている。この未処理の部分は、雨水により希釈されているので、汚水に起因する汚染の問題はある程度解決されているが、オイルボールと呼ばれている浮上性物質が公共用水域に排出されることが指摘されている（非特許文献１参照）。
【非特許文献１】平成１５年５月１５日環境新聞社発行「月刊下水道」Ｖｏｌ．２６，Ｎｏ．７  Ｐ．４９〜５３
【発明の開示】
【発明が解決しようとする課題】
【０００３】
ところで、上述の合流式の下水処理施設においては、上記の非特許文献１でも指摘されているように、雨天時に降水量が所定量を越えると、その越えた分が未処理で海や河川等の公共用水域に排出（放流）されるので、その排水中に浮上性物質が含まれていると、海や河川等の公共用水域に浮遊してしまうという問題点があった。殊に、管渠に停滞していた浮上性物質（以下、「スカム」というときもある。）は、雨天時の水量の増大により流出が促進されて海や河川等の公共用水域に排出されやすいという問題があった。しかも、スカムのうち、家庭から排出される油分を主成分とするオイルボールと呼ばれているスカムは、強烈な不快臭を発生するので、このオイルボールが海岸等に漂着したときは、大きな環境問題を引き起こすことがあった。
【０００４】
このようなオイルボールのようなスカムの公共用水域への流出を防止するために、下水処理施設からの排水が公共用水域に放出される放出口の周囲をオイルフェンスで囲むことが行われているが、波浪等によりオイルフェンスが上下動すると、スカムがオイルフェンスから飛び出して公共用水域へ流出してしまい、スカムの流出を完全に防止することができなかった。また、オイルフェンスを用いた場合は、その布設やメンテナンスが面倒であるとともに、オイルフェンス内の広い範囲に浮遊しているスカムをすくい上げて除去しなければならないという作業を必要としていた。
【０００５】
また、下水処理施設の沈殿池に下水を分配する導水渠においては、沈殿池にスカムが流入しないようにスカム除去装置が設けられることがあるが、このスカム除去装置は、パイプスキマ方式等の排水の流れを利用したスカム除去装置であるので、構造が複雑で処理操作も面倒であるという不都合があった。
【０００６】
さらに、下水処理施設では、下水は下水幹線を介して最初に沈砂池に導かれて処理されるが、この最初の段階でスカムを除去できれば、その後の沈殿池等の処理負荷が軽減されるので、可能な限り沈砂池においてスカム除去ができるようにすることが望まれていた。
【０００７】
そこで、本発明は、上記欠点を解決するためになされたものであって、その目的は、オイルボールのようなスカムを海や河川等の公共用水域へ流出させることなく、効率よく除去できるようにするとともに、下水処理施設の沈殿池の導水渠や沈砂池にも適用可能な浮上性物質除去装置を提供することにある。
【課題を解決するための手段】
【０００８】
本発明に係る浮上性物質除去装置は、上記目的を達成するために、請求項１に記載の発明は、流れる排水中からその排水中に含まれる浮上性の物質を除去する浮上性物質除去装置であって、前記排水の流れ方向と交差する方向に沿って、かつ、その排水の水面に向けて流出し、その流出の下端がその排水中に所定深さ没する所定の厚さの水膜を発生させる水膜発生手段を設け、その発生された水膜により浮上性物質の流れを阻止してその浮上性物質を除去するようにしたことを特徴としている。
本発明の請求項２に記載の浮上性物質除去装置は、水膜は、排水の流れの上流側に向けて所定の角度を有してその排水の上面に向けて流出するものであることを特徴としている。
本発明の請求項３に記載の浮上性物質除去装置は、水膜の排水の流れ方向と交差する角度は、直角以外の所定の角度であることを特徴としている。
本発明の請求項４に記載の浮上性物質除去装置は、排水は、下水処理施設における合流式の下水処理施設から排出される排水、沈殿池の導水渠を流れる排水、沈砂池を流れる排水、又は沈砂池のポンプ井間を流れる排水であることを特徴としている。
本発明の請求項５に記載の浮上性物質除去装置は、下水処理施設の沈砂池のポンプ井に設けられるポンプの周囲に設けられ、かつ、そのポンプ井の水面に向けて流出し、その流出の下端がそのポンプ井の排水中に所定深さ没する所定の厚さの水膜を発生させる水膜発生手段により構成される浮上性物質除去装置であり、そのポンプ井の水位を低下させて浮上性物質を除去するときにその水膜発生手段から水膜を発生させてそのポンプによる浮上性物質の排出を促進させることを特徴としている。
本発明の請求項６に記載の浮上性物質除去装置は、水膜発生手段は、板材とその板材の面に水を供給する給水パイプとから構成され、又はその給水パイプにその給水パイプの長手方向に沿ってスリットを設けて構成されるものであることを特徴としている。
【発明の効果】
【０００９】
本発明の請求項１に係る浮上性物質除去装置は、排水の流れ方向と交差する方向に沿って、かつ、その排水の水面に向けて流出し、その流出の下端がその排水中に所定深さ没する所定の厚さの水膜を発生させる水膜発生手段を設け、その発生された水膜により浮上性物質（スカム）の流れを阻止してその浮上性物質を除去するようにしたので、実質的にメンテナンスフリーの簡単な構成により、オイルボールのようなスカムを効率よく集めて除去することができる。
本発明の請求項２に係る浮上性物質除去装置は、水膜は、排水の流れの上流側に向けて所定の角度を有してその排水の上面に向けて流出するので、水膜は少ない水量で足りる特長がある。
本発明の請求項３に係る浮上性物質除去装置は、水膜の排水の流れ方向と交差する角度は、直角以外の所定の角度であるので、浮上性物質を効率よく集めることができる。
本発明の請求項４に係る浮上性物質除去装置は、排水は、下水処理施設における合流式の下水処理施設から排出される排水、沈殿池の導水渠を流れる排水、沈砂池を流れる排水、又は沈砂池のポンプ井間を流れる排水であるので、雨天時の降水量が所定量を越えたときに排水中に含まれるオイルボールのようなスカムを下水処理施設から排出される放流水からだけでなく、沈砂池や沈殿池においても効果的に除去することができる。
本発明の請求項５に係る浮上性物質除去装置は、下水処理施設の沈砂池のポンプ井に設けられるポンプの周囲に設けられ、かつ、そのポンプ井の水面に向けて流出、その流出の下端がそのポンプ井の排水中に所定深さ没する所定の厚さの水膜を発生させる水膜発生手段により構成される浮上性物質除去装置であり、そのポンプ井の水位を低下させて浮上性物質を除去するときにその水膜発生手段から水膜を発生させてそのポンプによる浮上性物質の排出を促進させるので、スカムが他のポンプ井に流出することがなくなり、ポンプ井からスカムを効率よく排出することができる。
本発明の請求項６に係る浮上性物質除去装置は、水膜発生手段を板材とその板材の面に水を供給する給水パイプとで構成し、又はその給水パイプにその給水パイプの長手方向に沿ってスリットを設けて構成したので、安定した水膜を簡単に、かつ、容易に生成することができる。
【発明を実施するための最良の形態】
【００１０】
以下、本発明を実施するための最良の形態を図面に基づいて説明する。図１は、本発明の一実施の形態に係る浮上性物質除去装置を適用した水路１の一部分の平面図である。この水路１は、ここでは、汚水と雨水とを同一管渠で収集して処理する合流式の下水処理施設（合流式の下水処理場）から排出される排水を海や河川等の公共用水域へ放出する放水路として示されている。すなわち、図１に示される水路１の図示しない右側には、合流式の下水処理施設が設けられているとともに、この水路１の左側は、図示しない海又は河川等の図示しない公共用水域に開口してつながっている。
【００１１】
この水路１を流れる排水は、通常時、すなわち、晴天時又は雨天時においてもその降水量がポンプ所の容量以下のときは全て下水処理施設で処理された処理済みの排水である。また、この水路１を流れる排水は、雨天時にその降水量がポンプ所の容量を越えたときは、その越えた分（オーバーフロー分）が下水処理施設で処理されることなく未処理で排出される分を含んでいる。図示の例は、この未処理の分を含んでいる状態を示している。なお、この水路１を下水処理施設で処理できなかった排水（オーバーフロー分）のみを流すものとすることもできる。この場合、水路１は、通常時において排水の流出はない。
【００１２】
図２は、上記図１のＡ−Ａ線拡大断面図及び図３は同図のＢ−Ｂ線拡大断面図であり、以下、これらをも用いて説明する。図中、２は斜板であって、本発明の水膜発生手段の一部を成している。この斜板２は、１枚の細長い長方形の板材からなり、水路１の水面よりも所定の高さ上の位置で、かつ、水路１の両側壁１ａ，１ａ間に掛け渡される形で設けられている。つまり、この斜板２は、水路１を流れる排水の流れ方向と交差するように設けられている。そして、斜板２の長辺のうちの下側の長辺位置が上側の長辺位置よりも排水の上流側を向くように直角以外の所定の角度（例えば、垂直線に対して１０〜４５°の範囲内の角度）となるように決められている（図２参照）。また、この斜板２は、短辺のうちの一方（図１の例では上方）が他方よりも排水の上流側に位置するように、つまり、排水の流れ方向と直角以外の所定の角度（例えば、図１において水路１の上側の側壁１ａの長手方向に対して流れ方向上流側の角度が１００〜１３５°の範囲内の角度）となるように決められている。なお、この角度が大きくなると、斜板２の長さが長くなるという不利益があるが、スカムＳを後述するスカム溜めに集め易くなるという特長がある。
【００１３】
図中、３はスカム溜めであって、上述の斜板２の短辺のうちの下流側の短辺が位置する側壁（図１では下側の側壁）１ａ中に設けられていて、水路１に凹部を設ける形で構成されている。そして、このスカム溜め３には、周知のバースクリーンからなる掻寄機４が設けられていて、スカム溜め３内のスカムＳを掻き上げて除去できるように構成されている。なお、このスカム溜め３内のスカムＳは、作業員が手網やひしゃく等ですくい取るようにして除去するようにしてもよい。
【００１４】
図中、５は、本発明の水膜発生手段の一部を成す給水パイプであり、上記斜板２の上部の近くで、かつ、水路１の水流の上流側（図１及び図２では、斜板２の上部右側）に設けられていて、斜板２上に均一に所定の水量を供給できるように構成されている。すなわち、この給水パイプ５の斜板２側には、給水パイプ５の軸心方向に沿って所定の間隔を保って複数の孔が設けられていて、これら孔から水が斜板２上に供給されるように構成されている。なお、これら複数の孔の代わりに給水パイプ５の軸心方向に細長く開口したスリットを設け、このスリットから斜板２上に水を供給するようにしてもよい。そして、この給水パイプ５には、ポンプＰ及びパイプ６を介して水路１中の排水の一部が供給されるように構成されている。なお、図示の例では、ポンプＰの吸入ポイントは、斜板２の下流側となっているが、斜板２の上流側でも水路１の底壁１ｂ近くで、スカム等の狭雑物を吸入するおそれがない箇所であれば吸入ポイントとすることができる。さらに、給水パイプ５に供給される水は、水路１から得ることなく、例えば、下水処理施設の沈殿池の上澄水等を用いることもできる。
【００１５】
この給水パイプ５から斜板２上に供給される水量は、斜板２から水路１の水面へ落下するときに形成される水膜Ｗ（ウォータカーテン）によって決められる。すなわち、給水パイプ５から斜板２上に供給される水量は、斜板２の長手方向において水膜Ｗに切れ間がなく、かつ、その水膜Ｗの厚さが所定厚さを有し、さらに、その水膜Ｗの下端（本発明の「流出の下端」に相当している。）が水路１の水面下の所定の深さ、例えば、図２においてＤ＝５〜２０ｃｍ程度となるように決められる。この水膜Ｗによって水中に形成される水深Ｄで示される部分は、水路１の水面部分に堰のを形成したと同じ機能を有し、排水に浮遊しているスカムを堰止めることができる機能を有している。したがって、この形成される水膜Ｗは、水路１を流下してくるスカムＳを堰止めることができる強さとなるように決められる。実験によれば、水膜Ｗによって形成される堰の深さ（図２のＤ参照）は、１０ｃｍ程度であればスカムのそれ以降の流出を効果的に阻止することができる。
【００１６】
なお、この水膜Ｗは、給水パイプ５から斜板２上に水を供給して形成したが、斜板２を用いることなく、つまり、給水パイプ５のみで形成するようにしてもよい（後述の図７参照）。この場合は、給水パイプ５に設けられたスリットから水を噴出させることにより水膜Ｗが形成されるが、上述のように、斜板２を用いると一定厚の水膜Ｗを確実に容易に形成できる特長がある。
【００１７】
図中、７は散水パイプであって、上述の水膜Ｗの上流側（図１及び図２において水膜Ｗの右側）で、かつ、上記スカム溜め３と反対側の側壁１ａの近くに設けられている。また、この散水パイプ７にも上記パイプ６を介して水が供給されるように構成されている。そして、この散水パイプ７には、スカム溜め３側の下向きに向けた小孔が設けられていて、噴射水Ｗ′を水路１の水面に向けて噴出できるように構成されている。したがって、この散水パイプ７から噴射水Ｗ′が水面に噴出されると、水膜Ｗの上流側に堰止められているスカムＳを効果的にスカム溜め３側に移動させることができる。
【００１８】
上記構成からなる浮上性物質除去装置において、水路１を流れる排水中に含まれるスカムＳを除去するには、給水パイプ５にポンプＰを介して水を供給すれば足りるという特長がある。すなわち、給水パイプ５に水が供給されると、斜板２から水路１の水面に向けて水膜Ｗが形成され、この水膜Ｗにより排水の上面に堰が形成される。この形成された堰によりスカムＳのそれ以降の流れが阻止される。そして、その堰止められたスカムＳは、水膜Ｗが水路の排水の流れ方向と直角以外の所定の角度を有していること、及び散水パイプ７から噴出される噴射水Ｗ′によりスカム溜め３に効率よく集められる。このスカム溜め３に集められたスカムＳは、掻寄機４で掻き集められて焼却等の所定のスカム処理が行われる。
【実施例】
【００１９】
４５ｃｍの水路幅に水深４０ｃｍで、かつ、２０ｃｍ／ｓの流速となるように水流を形成した。そして、この水路１の水面よりも上方で、かつ、水路１の水流と直交するように斜板２を設けた。この斜板２の板面と水面とのなす角度（斜板２の板面と水面の上流側の角度）を１５０°とし、その斜板２上にポンプで２．５ｋｇ／ｃｍ2 の水圧を保って水を供給し、水膜Ｗの下端が水面下１０ｃｍとなるように、すなわち、水面から深さ１０ｃｍの堰を形成した（図４の写真参照）。
【００２０】
水路１の水膜Ｗの上流側に実際の下水処理施設の沈殿池から得られたスカムＳを供給したところ、スカムＳは、水膜Ｗで堰止められて水膜Ｗより下流側に流出することがなかった。これにより、水膜Ｗにより水路１の排水中に含まれる浮上性物質が堰止められることが確認できた。
【００２１】
図５は、本発明に係る浮上性物質除去装置を下水処理施設の沈殿池１０，１０…へ下水（原水）を分配供給する導水渠１１に適用したときの平面図である。ここに示される浮上性物質除去装置は、上記図１〜図３に示されたものと同一であるので、その詳細についての説明は省略するが、この浮上性物質除去装置は、図５に示されるように、導水渠１１の上流側（下水を各沈殿池１０，１０…へ分配する前側）に設けられる。また、図５中、１２，１２…はゲート（水門）であり、導水渠１１から沈殿池１０に下水を導入するときに開かれるように構成されている。なお、図５では、図面を簡素化するために、沈殿池１０は２基のみ示されているが、導水渠１１には、通常、３基以上の沈殿池が接続されている。
【００２２】
上記構成からなる浮上性物質除去装置において、スカムＳは、導水渠１１の上流側で水膜Ｗにより効率よく集められ、その集められたスカムＳは掻寄機４で排出されるので、スカムＳが沈殿池１０，１０…内に取込まれるのを防止することができる。したがって、沈殿池１０，１０…以降の処理効率を高めることができる。
【００２３】
図６は、本発明に係る浮上性物質除去装置を適用した下水処理施設の沈砂池２０，２０…の平面図である。なお、この図６では、図面を簡素化するために、３基の沈砂池しか示されていないが、通常、４基以上の沈砂池が設けられている。そして、これら沈砂池２０，２０…には、下水幹線２１からゲート（水門）２２，２２…を介して下水がそれぞれ導入されるように構成されている。
【００２４】
上述の各沈砂池２０，２０…のほぼ中央部分には、上記図１〜図５に示したと同様の浮上性物質除去装置がそれぞれ設けられている。この浮上性物質除去装置は、上述の浮上性物質除去装置と同一構成であり、また、スカム除去作用も同一なので、これ以上の説明は省略するが、沈砂池２０，２０…においても、スカムＳを効率よく除去することができる。
【００２５】
図６中、２３，２３…は、沈砂池２０，２０…の下流側にそれぞれ設けられたポンプ井であり、これらポンプ井２３，２３…には、水中ポンプからなるポンプ２４，２４…がそれぞれ設置されていて、ポンプアップされた排水（下水）は、上記沈殿池の導水渠１１に排出されるように構成されている。なお、これらポンプ井２３，２３…は、各沈砂池２０，２０…にそれぞれ対応して設けられているが、各ポンプ井２３，２３…を仕切る壁は設けられておらず、一つの室に形成されている。
【００２６】
図６中、２５，２５…は、本発明の水膜発生手段を形成する給水パイプであり、各沈砂池２０に対応したポンプ井２３を区分する形で、ポンプ井２３の水面よりも上にそれぞれ設けられている。そして、各給水パイプ２５，２５…には、図７に示されるような給水パイプ２５の長手方向に沿い、かつ、ポンプ井２３の水面側に向いたスリット２５ａがそれぞれ設けられている。また、各給水パイプ２５，２５…には、図示しないが、ポンプ井２３内の水を吸引して給水パイプ２５へ供給するポンプが接続されている。したがって、そのポンプが駆動されると、図７に示されるような水膜Ｗを形成することができる。なお、このポンプは各給水パイプ２５毎に設けることもできるが、一つのポンプで各給水パイプ２５，２５…に給水することもできる。
【００２７】
図６中、２６，２６…は、各ポンプ井２３，２３…に設けられているポンプ２４，２４…の周囲を囲むようにそれぞれ設けられたリング状の給水パイプであり、ポンプ井の水面よりも上になるように、図示しないサポートを用いてポンプ２４，２４…に一体化されている。これら給水パイプ２６，２６…にも上記パイプ２５，２５…と同様のポンプ井２３，２３…の水面側に向いたスリット２６ａ，２６ａ…が開けられている。したがって、これら給水パイプ２６，２６…に図示しないポンプから水が供給されると、図８に示されるような水膜Ｗを形成することができる。なお、このポンプも各給水パイプ２６毎に設けることができるが、一つのポンプで各給水パイプ２６，２６…に供給するようにしてもよい。
【００２８】
上記給水パイプ２５，２６のうち、給水パイプ２５を用いた水膜Ｗの発生は、沈砂池２０，２０…を運転中、一つのポンプ井２３から他のポンプ井２３へのスカムの移動を阻止できる効果を有しているので、通常時においても水膜Ｗを発生させておくことができる。しかし、これら給水パイプ２５，２６を用いた水膜発生手段は、定期的に沈砂池２０からスカムを排出させるために水位が低下するときに使用される。すなわち、沈砂池２０の上流側に設けられているゲート２２を閉じてポンプ２４が駆動されてポンプ井２３の水位が低下する際、給水パイプ２５から水膜Ｗが発生していると、ポンプ井２３間のスカムの移動が阻止されてポンプ２４によるスカムの排出が効果的に行われるとともに、ポンプ２４の周囲に配置されている給水パイプ２６からの水膜Ｗによりポンプ２４へのスカムの吸引効果が高まり、沈砂池２０及びポンプ井２３から速やかにスカムを排出することができる。
【図面の簡単な説明】
【００２９】
【図１】本発明の一実施の形態に係る浮上性物質除去装置を適用した水路の一部分の平面図である。
【図２】図１のＡ−Ａ線拡大断面図である。
【図３】図１のＢ−Ｂ線拡大断面図である。
【図４】実施例装置の写真である。
【図５】本発明の一実施の形態に係る浮上性物質除去装置を下水処理施設の沈殿池の導水渠に適用したときの平面図である。
【図６】本発明の一実施の形態に係る浮上性物質除去装置を下水処理施設の沈砂池に適用したときの平面図である。
【図７】図６のＡ−Ａ線拡大断面図である。
【図８】図６のＢ−Ｂ線拡大断面図である。
【符号の説明】
【００３０】
１  水路
２  斜板（板材）
３  スカム溜め
４  掻寄機
５  給水パイプ
６  パイプ
７  散水パイプ
Ｐ  ポンプ
Ｓ  スカム
１０  沈殿池
１１  導水渠
２０  沈砂池
２１  下水幹線
２３  ポンプ井
２４  ポンプ
２５，２６  給水パイプ
【図１】
2005254219.tif 000003
【図２】
2005254219.tif 000004
【図３】
2005254219.tif 000005
【図５】
2005254219.tif 000006
【図６】
2005254219.tif 000007
【図７】
2005254219.tif 000008
【図８】
2005254219.tif 000009
【図４】
2005254219.tif 000010